(57)【要約】【課題】  電子のラブの質量はどのようにできたか。陽子のラブの質量はどのようにできたか。【解決手段】１Jmの磁気の光子の自転軌道エネルギーは2.667Kgに変換する。(特願2006−357550) 電磁気は7.030×1017個集まって、1つの電子のラブになることができる。電磁気は1.289×1021個集まって、１つの陽子のラブになることができる。(特願2010−240127)電子のラブは、磁気の光子が7.030×1017個×7.96×107＝5.596×1025個が集まり1束に成る。1束を5.590×1025個とする。この磁気の光子の自転軌道エネルギーは、6.11×10−57Jm×5.590×1025個＝3.4155×10−31Jmです。できる質量は、3.4155×10−31Jm×2.667Kg＝9.109×10−31Kgです。陽子のラブの場合は、磁気の光子は、1.289×1021個×4.34×104＝5.594×1025個が1束に成り、1束の磁気の光子の自転軌道エネルギーは、1.121×10−53Jm×5.594×1025＝6.271×10−28Jmで、これは、6.271×10−28Jm ×2.667Kg＝1.672×10−27Kgに変換する。【選択図】図１
2016208592.tif 000002
【特許請求の範囲】
【請求項１】
電子のラブの質量はどのようにできたか。
2006年12月30日に提出した、特願2006−357550．「質量の誕生とE=mc2」に於いて次のように記した。
「請求項5」  質量はどのようにしてできたか。
ビッグバンの以前、存在したのは光子のエネルギーであった。
そして、ビッグバンの時、光子のエネルギーは質量に変換した。
１Jmの自転軌道エネルギーは2.667Kｇに変換した。
ビッグバンの以前１Jmの自転軌道エネルギーの光子が、ビッグバンの時2.667Kgの質量になった。
そして、2010年10月26日に提出した、特願2010−240127、に次のように記した。
「請求項12」
放出した電磁気によってできる場のAは、2.653×1020a、です。
質量ができた場のAは、8.574×1030a、です。
電子のラブができた場のAは、1.865×1038a、です。
陽子のラブができる場のAは、3.421×1041a、です。
電子のラブができた場のA÷放出した電磁気によってできる場のA＝1.865×1038a÷(2.653×1020a)＝7.030×1017
電子のラブができるエネルギーは、電磁気のエネルギーの7.030×1017倍になっている。
それで、電磁気は7.030×1017個集まって、1つの電子のラブになることができる。
電磁気が7.030×1017個集まるのであるから、この磁気の光子の数は、7.030×1017個×7.96×107＝5.596×1025個です。
電子のラブの磁気の光子の自転軌道エネルギーは、磁気の光子のエネルギー×磁気の光子の軌道＝6.11×10−57Jm、です。
5.596×1025個の磁気の光子の自転軌道エネルギーは、6.11×10−57Jm×5.596×1025＝3.419×10−31Jm、です。
・１Jmの磁気の光子の自転軌道エネルギーは2.667Kｇに変換するのですから、3.419×10−31Jmは何Kgに変換されるか。
ｘKgに変換されるとする。
3.419×10−31Jm：１Jm＝ｘKg：2.667Kｇ
ｘKg＝3.419×10−31Jm×2.667Kｇ＝9.118×10−31Kg
・電子のラブの質量は9.109×10−31Kgですから、これは何倍に成るか。
9.118×10−31Kg÷(9.109×10−31Kg)＝1.00099
よって、これで正解です。
即ち、磁気の光子は5.596×1025個集まり、電子のラブの質量に成る。
1個の磁気の光子の自転軌道エネルギーは、6.11×10−57Jmであり、5.596×1025個の磁気の光子が集まり、3.419×10−31Jmの自転軌道エネルギーに成る。
この自転軌道エネルギーは9.118×10−31Kgになる。
・電子のラブの質量9.109×10−31Kgになる磁気の光子の数はいくらか。
磁気の光子の数をｙ個とする。
ｙ個×6.11×10−57Jm：１Jm＝9.109×10−31Kg：2.667Kｇ
ｙ個＝9.109×10−31Kｇ÷(6.11×10−57Jm×2.667Kｇ)＝5.590×1025個
磁気の光子の数が5.590×1025個の場合、電子のラブの質量9.109×10−31Kgになる。
即ち、磁気の光子が5.590×1025個で１束に成り、電子のラブになった。その質量は9.109×10−31Kgです。
各々の放出した電磁気における電子のラブの質量ができた状態を表に示す。
特願2010−240127で、電磁気の質量＝1.296×10−48Kgとして計算しましたが、これは誤りです。
表3
2016208592.tif 000005
この事により理解できた事。
1ビッグバンの以前、放出された光子のエネルギーがどのようなエネルギーであっても、ビッグバン後に生成した電子のラブの質量は一定である。
【請求項２】
陽子のラブの質量はどのようにできたか。
2006年12月30日に提出した、特願2006−357550．「質量の誕生とE=mc2」に於いて次のように記した。
「請求項5」  質量はどのようにしてできたか。
ビッグバンの以前、存在したのは光子のエネルギーであった。
そして、ビッグバンの時、光子のエネルギーは質量に変換した。
１Jmの自転軌道エネルギーは2.667Kｇに変換した。
ビッグバンの以前１Jmの自転軌道エネルギーの光子が、ビッグバンの時2.667Kgの質量になった。
そして、2010年10月26日に提出した、特願2010−240127、に次のように記した。
「請求項12」
放出した電磁気によってできる場のAは、2.653×1020a、です。
質量ができた場のAは、8.574×1030a、です。
電子のラブができた場のAは、1.865×1038a、です。
陽子のラブができる場のAは、3.421×1041a、です。
陽子のラブができる場のA÷電子のラブができた場のA＝3.421×1041a÷(1.865×1038a)＝1.834×103
陽子のラブができる場のエネルギーは、電子のラブができた場のエネルギーの1.834×103倍になっている。
それで、電子のラブは1.834×103個集まって、陽子のラブになることができる。
陽子のラブができる場のA÷放出した電磁気によってできる場のA＝3.421×1041a÷(2.653×1020a)＝1.289×1021
陽子のラブができる場のエネルギーは、放出した電磁気によってできる場のエネルギーの1.289×1021倍になっている。
それで、電磁気は1.289×1021個集まって、１つの陽子のラブになることができる。
電磁気が1.289×1021個集まるのであるから、この磁気の光子の数は、1.289×1021個×4.34×104＝5.594×1025個です。
陽子のラブの磁気の光子の自転軌道エネルギーは、磁気の光子のエネルギー×磁気の光子の軌道＝1.121×10−53Jm、です。
(2010年10月26日に提出した、特願2010−240127、に記した、磁気の光子の軌道エネルギー＝2.056×10−50 Jm、は誤りです。)
5.594×1025個の磁気の光子の自転軌道エネルギーは、1.121×10−53Jm×5.594×1025個＝6.271×10−28Jm、です。
・１Jmの磁気の光子の自転軌道エネルギーは2.667Kｇに変換するのですから、6.271×10−28Jmは何Kgに変換されるか。
ｘKgに変換されるとする。
6.271×10−28Jm：１Jm＝ｘKg：2.667Kｇ
ｘKg＝6.271×10−28Jm×2.667Kｇ＝1.672×10−27Kg
陽子のラブの質量は1.672×10−27Kgですから、これで正しいです。
各々の放出した電磁気における陽子のラブの質量ができた状態を表に示す。
特願2010−240127で、電磁気の質量＝1.296×10−48Kgとして計算しましたが、これは誤りです。
表4
2016208592.tif 000006
この事により理解できた事。
1ビッグバンの以前、放出された光子のエネルギーがどのようなエネルギーであっても、ビッグバン後に生成した陽子のラブの質量は一定である。
【発明の詳細な説明】
【技術分野】
【０００１】
本発明は、質量はどのようにできたか、に関するものである。
【背景技術】
【０００２】
2006年12月30日に提出した、特願2006−357550．「質量の誕生とE=mc2」に於いて次のように記した。
「請求項5」  質量はどのようにしてできたか。
宇宙の原初質量はなかった。エネルギーはあったが質量はなかった。それでは質量はどのようにしてできたのか。
質量はエネルギーから生まれた。ビッグバンの以前、存在したのはエネルギーだけであった。それが、ビッグバンによって、エネルギーは絶対0度の空間に放出した。エネルギーは、急に冷えたので、固体になり、質量に変身した。
ビッグバンの以前、存在したのは光子のエネルギーであった。
そして、ビッグバンの時、光子のエネルギーは質量に変換した。
１Jmの自転軌道エネルギーは2.667Kｇに変換した。
ビッグバンの以前１Jmの自転軌道エネルギーの光子が、ビッグバンの時2.667Kgの質量になった。
そして、2010年10月26日に提出した、特願2010−240127、に次のように記した。
「請求項12」  放出した電磁気によってできる場のAと、質量ができた場のAと、電子のラブができた場のAと、陽子のラブができる場のAの関係はどのようであるか。電磁気は何個集まって質量になることができるか。
放出した電磁気によってできる場のAは、2.653×1020a、です。
質量ができた場のAは、8.574×1030a、です。
電子のラブができた場のAは、1.865×1038a、です。
陽子のラブができる場のAは、3.421×1041a、です。
電子のラブができた場のA÷放出した電磁気によってできる場のA＝1.865×1038a÷(2.653×1020a)＝7.030×1017
電子のラブができる場のエネルギーは、電磁気の場のエネルギーの7.030×1017倍になっている。
それで、電磁気は7.030×1017個集まって、1つの電子のラブになることができる。
陽子のラブができる場のA÷電子のラブができた場のA＝3.421×1041a÷(1.865×1038a)＝1.834×103
陽子のラブができる場のエネルギーは、電子のラブができた場のエネルギーの1.834×103倍になっている。
それで、電子のラブは1.834×103個集まって、陽子のラブになることができる。
陽子のラブができる場のA÷放出した電磁気によってできる場のA＝3.421×1041a÷(2.653×1020a)＝1.289×1021
陽子のラブができる場のエネルギーは、放出した電磁気によってできる場のエネルギーの1.289×1021倍になっている。
それで、電磁気は1.289×1021個集まって、１つの陽子のラブになることができる。
質量ができた場のA÷放出した電磁気によってできる場のA＝8.574×1030a÷(2.653×1020a)＝3.232×1010
質量ができた場のエネルギーは、放出した電磁気によってできる場のエネルギーの3.232×1010倍になっている。
それで、電磁気は3.232×1010個集まって、質量になることができる。
これを“質量になる電磁気の集団”と名付ける。
【先行技術文献】
【特許文献】
【０００３】
【特許文献１】特願2006−357550
【特許文献２】特願2010−240127
【発明の概要】
【発明が解決しようとする課題】
【０００４】
１．電子のラブの質量はどのようにできたか。
２．陽子のラブの質量はどのようにできたか。
ビッグバンの以前放出された光子のエネルギーは異なるのに、ビッグバン後に生成された素粒子の質量は一定であるのはどうしてか。
【課題を解決するための手段】
【０００５】
2006年12月30日に提出した、特願2006−357550．「質量の誕生とE=mc2」に於いて、次のように理解した。
「請求項5」  質量はどのようにしてできたか。
ビッグバンの以前、存在したのは光子のエネルギーであった。
そして、ビッグバンの時、光子のエネルギーは質量に変換した。
１Jmの自転軌道エネルギーは2.667Kｇに変換した。
ビッグバンの以前１Jmの自転軌道エネルギーの光子が、ビッグバンの時2.667Kgの質量になった。
2010年10月26日に提出した、特願2010−240127、に於いて、次のように理解した。
「請求項12」
放出した電磁気によってできる場のAは、2.653×1020a、です。
質量ができた場のAは、8.574×1030a、です。
電子のラブができた場のAは、1.865×1038a、です。
陽子のラブができる場のAは、3.421×1041a、です。
電子のラブができた場のA÷放出した電磁気によってできる場のA＝1.865×1038a÷(2.653×1020a)＝7.030×1017
電子のラブができる場のエネルギーは、電磁気の場のエネルギーの7.030×1017倍になっている。
それで、電磁気は7.030×1017個集まって、1つの電子のラブになることができる。
陽子のラブができる場のA÷放出した電磁気によってできる場のA＝3.421×1041a÷(2.653×1020a)＝1.289×1021
陽子のラブができる場のエネルギーは、放出した電磁気によってできる場のエネルギーの1.289×1021倍になっている。
それで、電磁気は1.289×1021個集まって、１つの陽子のラブになることができる。
【発明の効果】
【０００６】
電子のラブの質量は、磁気の光子が5.590×1025個で1束になり、質量が9.109×10−31Kgに成ることができたことを理解できた。
陽子のラブの質量は、磁気の光子が5.594×1025個で1束になり、質量が1.672×10−27Kgに成ることができたことを理解できた。
【図面の簡単な説明】
【０００７】
【図１】図１は電子のラブの質量と陽子のラブの質量ができる経過を示す。放出した電磁気によってできる場のAは、2.653×1020a、です。質量ができた場のAは、8.574×1030a、です。電子のラブができた場のAは、1.865×1038a、です。陽子のラブができる場のAは、3.421×1041a、です。・電子のラブの質量ができた場合。電子のラブができた場のA÷放出した電磁気によってできる場のA＝1.865×1038a÷(2.653×1020a)＝7.030×1017電磁気は7.030×1017個集まって、1つの電子のラブになることができる。電磁気が7.030×1017個集まるのであるから、この磁気の光子の数は、7.030×1017個×7.96×107＝5.596×1025個です。電子のラブの磁気の光子の自転軌道エネルギーは、磁気の光子のエネルギー×磁気の光子の軌道＝6.11×10−57Jm、です。5.596×1025個の磁気の光子の自転軌道エネルギーは、6.11×10−57Jm×5.596×1025＝3.419×10−31Jm、です。１Jmの磁気の光子の自転軌道エネルギーは2.667Kｇに変換するのですから、3.419×10−31Jmは、3.419×10−31Jm×2.667Kｇ＝9.118×10−31Kgに変換される。電子のラブの質量9.109×10−31Kgになる磁気の光子の数はいくらか。磁気の光子の数をｙ個とする。ｙ個×6.11×10−57Jm：１Jm＝9.109×10−31Kg：2.667Kｇｙ個＝9.109×10−31Kｇ÷(6.11×10−57Jm×2.667Kｇ)＝5.590×1025個磁気の光子の数が5.590×1025個の場合、電子のラブの質量9.109×10−31Kgになる。・陽子のラブの質量ができた場合。陽子のラブができる場のA÷放出した電磁気によってできる場のA＝3.421×1041a÷(2.653×1020a)＝1.289×1021電磁気は1.289×1021個集まって、１つの陽子のラブになることができる。電磁気が1.289×1021個集まり、この磁気の光子の数は、1.289×1021個×4.34×104＝5.594×1025個です。陽子のラブの磁気の光子の自転軌道エネルギーは、磁気の光子のエネルギー×磁気の光子の軌道＝1.121×10−53Jm、です。5.594×1025個の磁気の光子の自転軌道エネルギーは、1.121×10−53Jm×5.594×1025個＝6.271×10−28Jm、です。１Jmの磁気の光子の自転軌道エネルギーは2.667Kｇに変換するのですから、6.271×10−28Jmは、6.271×10−28Jm×2.667Kｇ＝1.672×10−27Kg、の質量に変換され、陽子のラブに成る。
【発明を実施するための形態】
【０００８】
１．    電子のラブの質量はどのようにできたか。
2006年12月30日に提出した、特願2006−357550．「質量の誕生とE=mc2」に於いて次のように記した。
「請求項5」  質量はどのようにしてできたか。
ビッグバンの以前、存在したのは光子のエネルギーであった。
そして、ビッグバンの時、光子のエネルギーは質量に変換した。
１Jmの自転軌道エネルギーは2.667Kｇに変換した。
ビッグバンの以前１Jmの自転軌道エネルギーの光子が、ビッグバンの時2.667Kgの質量になった。
そして、2010年10月26日に提出した、特願2010−240127、に次のように記した。
「請求項12」
放出した電磁気によってできる場のAは、2.653×1020a、です。
質量ができた場のAは、8.574×1030a、です。
電子のラブができた場のAは、1.865×1038a、です。
陽子のラブができる場のAは、3.421×1041a、です。
電子のラブができた場のA÷放出した電磁気によってできる場のA＝1.865×1038a÷(2.653×1020a)＝7.030×1017
電子のラブができるエネルギーは、電磁気のエネルギーの7.030×1017倍になっている。
それで、電磁気は7.030×1017個集まって、1つの電子のラブになることができる。
電磁気が7.030×1017個集まるのであるから、この磁気の光子の数は、7.030×1017個×7.96×107＝5.596×1025個です。
電子のラブの磁気の光子の自転軌道エネルギーは、磁気の光子のエネルギー×磁気の光子の軌道＝6.11×10−57Jm、です。
5.596×1025個の磁気の光子の自転軌道エネルギーは、6.11×10−57Jm×5.596×1025＝3.419×10−31Jm、です。
・１Jmの磁気の光子の自転軌道エネルギーは2.667Kｇに変換するのですから、3.419×10−31Jmは何Kgに変換されるか。
ｘKgに変換されるとする。
3.419×10−31Jm：１Jm＝ｘKg：2.667Kｇ
ｘKg＝3.419×10−31Jm×2.667Kｇ＝9.118×10−31Kg
・電子のラブの質量は9.109×10−31Kgですから、これは何倍に成るか。
9.118×10−31Kg÷(9.109×10−31Kg)＝1.00099
よって、これで正解です。
即ち、磁気の光子は5.596×1025個集まり、電子のラブの質量に成る。
1個の磁気の光子の自転軌道エネルギーは、6.11×10−57Jmであり、5.596×1025個の磁気の光子が集まり、3.419×10−31Jmの自転軌道エネルギーに成る。
この自転軌道エネルギーは9.118×10−31Kgになる。
・電子のラブの質量9.109×10−31Kgになる磁気の光子の数はいくらか。
磁気の光子の数をｙ個とする。
ｙ個×6.11×10−57Jm：１Jm＝9.109×10−31Kg：2.667Kｇ
ｙ個＝9.109×10−31Kｇ÷(6.11×10−57Jm×2.667Kｇ)＝5.590×1025個
磁気の光子の数が5.590×1025個の場合、電子のラブの質量9.109×10−31Kgになる。
即ち、磁気の光子が5.590×1025個で１束に成り、電子のラブになった。その質量は9.109×10−31Kgです。
各々の放出した電磁気における電子のラブの質量ができた状態を表に示す。
特願2010−240127で、電磁気の質量＝1.296×10−48Kgとして計算しましたが、これは誤りです。
表1
2016208592.tif 000003
この事により理解できた事。
1ビッグバンの以前、放出された光子のエネルギーがどのようなエネルギーであっても、ビッグバン後に生成した電子のラブの質量は一定である。
２．    陽子のラブの質量はどのようにできたか。
2006年12月30日に提出した、特願2006−357550．「質量の誕生とE=mc2」に於いて次のように記した。
「請求項5」  質量はどのようにしてできたか。
ビッグバンの以前、存在したのは光子のエネルギーであった。
そして、ビッグバンの時、光子のエネルギーは質量に変換した。
１Jmの自転軌道エネルギーは2.667Kｇに変換した。
ビッグバンの以前１Jmの自転軌道エネルギーの光子が、ビッグバンの時2.667Kgの質量になった。
そして、2010年10月26日に提出した、特願2010−240127、に次のように記した。
「請求項12」
放出した電磁気によってできる場のAは、2.653×1020a、です。
質量ができた場のAは、8.574×1030a、です。
電子のラブができた場のAは、1.865×1038a、です。
陽子のラブができる場のAは、3.421×1041a、です。
陽子のラブができる場のA÷電子のラブができた場のA＝3.421×1041a÷(1.865×1038a)＝1.834×103
陽子のラブができる場のエネルギーは、電子のラブができた場のエネルギーの1.834×103倍になっている。
それで、電子のラブは1.834×103個集まって、陽子のラブになることができる。
陽子のラブができる場のA÷放出した電磁気によってできる場のA＝3.421×1041a÷(2.653×1020a)＝1.289×1021
陽子のラブができる場のエネルギーは、放出した電磁気によってできる場のエネルギーの1.289×1021倍になっている。
それで、電磁気は1.289×1021個集まって、１つの陽子のラブになることができる。
電磁気が1.289×1021個集まるのであるから、この磁気の光子の数は、1.289×1021個×4.34×104＝5.594×1025個です。
陽子のラブの磁気の光子の自転軌道エネルギーは、磁気の光子のエネルギー×磁気の光子の軌道＝1.121×10−53Jm、です。
(2010年10月26日に提出した、特願2010−240127、に記した、磁気の光子の軌道エネルギー＝2.056×10−50 Jm、は誤りです。)
5.594×1025個の磁気の光子の自転軌道エネルギーは、1.121×10−53Jm×5.594×1025個＝6.271×10−28Jm、です。
・１Jmの磁気の光子の自転軌道エネルギーは2.667Kｇに変換するのですから、6.271×10−28Jmは何Kgに変換されるか。
ｘKgに変換されるとする。
6.271×10−28Jm：１Jm＝ｘKg：2.667Kｇ
ｘKg＝6.271×10−28Jm×2.667Kｇ＝1.672×10−27Kg
陽子のラブの質量は1.672×10−27Kgですから、これで正しいです。
各々の放出した電磁気における陽子のラブの質量ができた状態を表に示す。
特願2010−240127で、電磁気の質量＝1.296×10−48Kgとして計算しましたが、これは誤りです。
表2
2016208592.tif 000004
この事により理解できた事。
1ビッグバンの以前、放出された光子のエネルギーがどのようなエネルギーであっても、ビッグバン後に生成した陽子のラブの質量は一定である。
【産業上の利用可能性】
【０００９】
素粒子の質量がどのように生成したかを知ることにより、素粒子についての理解が深まり、素粒子を利用する産業の発展を促進させる。
【符号の説明】
【００１０】
１    放出した電磁気によってできる場のAは、2.653×1020a、です。
２    質量ができた場のAは、8.574×1030a、です。
３    電子のラブができた場のAは、1.865×1038a、です。
４    陽子のラブができる場のAは、3.421×1041a、です。
５    1eVや2.154×10−19Jや1.423×10−18Jや1.233×10−17Jや4.499×10−15J等のさまざまなエネルギーの磁気の光子。この場のAは、2.653×1020a、です。
６    この磁気の光子1個の軌道エネルギーは全て同じで、6.11×10−57Jmです。こ場のAは、2.653×1020a、です。
７    電磁気が7.030×1017個集まるのであるから、この磁気の光子の数は、7.030×1017個×7.96×107＝5.596×1025個です。この場のAは、1.865×1038a、です。
８    5.590×1025個の磁気の光子が1束に成る。
９    1束の磁気の光子の軌道エネルギーは、6.11×10−57Jm×5.590×1025個＝3.4155×10−31Jm、です。
１０    １Jmの磁気の光子の自転軌道エネルギーは2.667Kgに変換するので、1束の3.4155×10−31Jmの自転軌道エネルギーは、9.109×10−31Kgに変換する。
１１    ビッグバンの時、1束の3.4155×10−31Jmの自転軌道エネルギーは、9.109×10−31Kgに変換する。9.109×10−31Kgの電子のラブの質量が生成する。この場のAは、8.514×1030a、です。
１２    1eVや2.154×10−19Jや1.423×10−18Jや1.233×10−17Jや4.499×10−15J等のさまざまなエネルギーの磁気の光子は1835個集まる。この場のAは、2.653×1020a×1835、です。
１３    この磁気の光子1個の軌道エネルギーは全て同じで、1.121×10−53Jmです。この場のAは、2.653×1020a×1835、です。
１４    電磁気が1.289×1021個集まるのであるから、この磁気の光子の数は、1.289×1021個×4.34×104＝5.594×1025個です。この場のAは、3.421×1041a、です。
１５    5.594×1025個の磁気の光子が1束に成る。
１６    1束の磁気の光子の軌道エネルギーは、1.121×10−53Jm×5.594×1025個＝6.271×10−28Jm 、です。
１７    １Jmの磁気の光子の自転軌道エネルギーは2.667Kgに変換するので、1束の6.271×10−28Jmの自転軌道エネルギーは、1.672×10−27Kgに変換する。
１８    ビッグバンの時、1束の6.271×10−28Jmの自転軌道エネルギーは、1.672×10−27Kgに変換する。1.672×10−27Kgの陽子のラブの質量が生成する。この場のAは、8.514×1030a、です。
【図１】
2016208592.tif 000007